(57)【要約】      （修正有）【課題】外袋が本体と分離可能なスーツケースを提供する。【解決手段】スーツケース１は、本体１０と、分離式外袋２０と、第１メインロック部材３０と、第２メインロック部材４０と、複数のロックリングを含み、本体が収容槽１１を備え、分離式外袋が着脱自在に収容槽に配置され、分離式外袋が底層２２と、遮蔽層と、孔部と、内開閉部材を含み、遮蔽層が底層を被覆し、孔部が底層に設けられ、内開閉部材が可動的に遮蔽層に連接され、内開閉部材が遮蔽層を開閉するために用いられ、遮蔽層が開かれたとき、底層が外部に露出され、第１メインロック部材が収容槽に設置され、第１メインロック部材がロックバーと操作部材を含み、操作部材がロックバーに連接され、かつ孔部に穿通され、第２メインロック部材が収容槽に設置され、複数のロックリングが底層に連接される。【選択図】図２
0003211054.tif 000002
【実用新案登録請求の範囲】
【請求項１】
スーツケースであって、
収容槽を含む本体と、
前記収容槽に着脱自在に配置された分離式外袋と、
を含み、前記分離式外袋が、
底層と、
前記底層を被覆する遮蔽層と、
前記底層に設けられた少なくとも１つの孔部と、
前記遮蔽層に可動的に連接され、前記遮蔽層を開閉するために用いられ、前記遮蔽層が開かれたとき、前記底層が外部に露出される内開閉部材と、
前記収容槽に設けられ、ロックバーと、前記ロックバーに連接され、前記少なくとも１つの孔部に穿通された操作部材を含む、少なくとも１つの第１メインロック部材と、
前記収容槽に設けられた少なくとも１つの第２メインロック部材と、
前記底層に連接され、かつ位置が前記少なくとも１つの第１メインロック部材と前記少なくとも１つの第２メインロック部材にそれぞれ対応する位置に設けられた複数のロックリングと、
を含む、ことを特徴とする、スーツケース。
【請求項２】
前記第１メインロック部材がさらに弾力部材を含み、前記弾力部材が前記操作部材に連接されたことを特徴とする、請求項１に記載のスーツケース。
【請求項３】
前記第１メインロック部材がさらにロック部材本体とロック槽を含み、前記ロック槽が前記ロック部材本体に配置され、かつ前記ロックバーが前記ロック槽に配置されたことを特徴とする、請求項２に記載のスーツケース。
【請求項４】
前記第１メインロック部材がさらに穿通孔を含み、前記穿通孔が前記ロック槽に連通され、かつ前記ロックバーが前記穿通孔に穿通されて前記ロック槽内に配置されることを特徴とする、請求項３に記載のスーツケース。
【請求項５】
前記第１メインロック部材がさらに摺動溝を含み、前記摺動溝が前記ロック部材本体に配置され、かつ前記操作部材が前記摺動溝に穿置されたことを特徴とする、請求項４に記載のスーツケース。
【請求項６】
前記分離式外袋がさらに外蓋を含み、前記外蓋が前記底層と前記遮蔽層を被覆することを特徴とする、請求項５に記載のスーツケース。
【請求項７】
前記分離式外袋がさらに外開閉部材を含み、前記外開閉部材が前記外蓋と前記底層に可動的に連接され、前記外開閉部材が前記外蓋を前記底層に対して開閉するために用いられることを特徴とする、請求項６に記載のスーツケース。
【請求項８】
前記収容槽がさらに複数の凹陥槽を含み、前記少なくとも１つの第１メインロック部材と前記少なくとも１つの第２メインロック部材が前記複数の凹陥槽内に設置されたことを特徴とする、請求項７に記載のスーツケース。
【請求項９】
前記内開閉部材と前記外開閉部材がファスナーであることを特徴とする、請求項８に記載のスーツケース。
【請求項１０】
前記少なくとも１つの第１メインロック部材の数量が２つであり、前記少なくとも１つの第２メインロック部材の数量が２つであり、前記複数のロックリングの数量が４つであることを特徴とする、請求項９に記載のスーツケース。
【考案の詳細な説明】
【技術分野】
【０００１】
本考案はスーツケースに関し、特に、外袋を本体と分離できるスーツケースに関する。
【背景技術】
【０００２】
現在市販されているスーツケースは、往々にしてスーツケースの蓋の外側表面にファスナーが付いたポケットが設置されており、使用者は例えばペンや地図、ティッシュペーパー、折り畳み傘など、体積が比較的小さく、随時取り出す必要がある物品を入れることができ、これらの蓋に設置されたポケットは優れた利便性を提供している。
【０００３】
これらの蓋に設置されたポケットは通常縫合の方式でスーツケースの蓋と相互にしっかり結合されている。しかしながら、これらの蓋に設置されたポケット自体に一定の重量があるため、スーツケース全体の重量が増加して旅行時の軽便さに影響する。また、すべての使用者がこれらの蓋に設置されたポケットを使用する必要があるとも限らない。
【０００４】
このため、蓋に設置されたポケットが蓋と結合または分離可能な新しいスーツケースを提供する必要がある。
【考案の概要】
【考案が解決しようとする課題】
【０００５】
本考案の主な目的は、外袋が本体と分離可能なスーツケースを提供することにある。
【課題を解決するための手段】
【０００６】
上述の目的を達するため、本考案のスーツケースは、本体、分離式外袋、少なくとも１つの第１メインロック部材、少なくとも１つの第２メインロック部材、複数のロックリングを含み、前記本体が収容槽を備え、前記分離式外袋が着脱自在に前記収容槽に配置され、前記分離式外袋が底層と、遮蔽層と、少なくとも１つの孔部と、内開閉部材を含み、前記遮蔽層が前記底層を被覆し、前記少なくとも１つの孔部が前記底層に設けられ、前記内開閉部材が可動的に前記遮蔽層に連接され、前記内開閉部材が遮蔽層を開閉するために用いられ、前記遮蔽層が開かれたとき、前記底層が外部に露出され、前記少なくとも１つの第１メインロック部材が前記収容槽に設置され、前記少なくとも１つの第１メインロック部材がロックバーと操作部材を含み、前記操作部材が前記ロックバーに連接され、かつ前記少なくとも１つの孔部に穿通され、前記少なくとも１つの第２メインロック部材が前記収容槽に設置され、前記複数のロックリングが前記底層に連接され、かつ前記複数のロックリングの位置が前記少なくとも１つの第１メインロック部材と前記少なくとも１つの第２メインロック部材にそれぞれ対応する。
【０００７】
本考案の一実施例によれば、そのうち、前記第１メインロック部材がさらに弾力部材を含み、前記弾力部材が前記操作部材に連接される。
【０００８】
本考案の一実施例によれば、そのうち、前記第１メインロック部材がさらにロック部材本体とロック槽を含み、前記ロック槽が前記ロック部材本体に配置され、かつ前記ロックバーが前記ロック槽に配置される。
【０００９】
本考案の一実施例によれば、そのうち、前記第１メインロック部材がさらに穿通孔を含み、穿通孔が前記ロック槽に連通され、かつ前記ロックバーが前記穿通孔に穿通されて前記ロック槽に配置される。
【００１０】
本考案の一実施例によれば、そのうち、前記第１メインロック部材がさらに摺動溝を含み、前記摺動溝が前記ロック部材本体に配置され、かつ前記操作部材が前記摺動溝に穿通される。
【００１１】
本考案の一実施例によれば、そのうち、前記分離式外袋がさらに外蓋を含み、前記外蓋が前記底層と前記遮蔽層を被覆する。
【００１２】
本考案の一実施例によれば、そのうち、前記分離式外袋がさらに外開閉部材を含み、前記外開閉部材は可動的に前記外蓋と前記底層を連接し、前記外開閉部材は前記外蓋を前記底層に対して開閉させるために用いられる。
【００１３】
本考案の一実施例によれば、そのうち、前記収容槽がさらに複数の凹陥槽を含み、前記少なくとも１つの第１メインロック部材と前記少なくとも１つの第２メインロック部材が前記複数の凹陥槽に設置される。
【００１４】
本考案の一実施例によれば、そのうち、前記内開閉部材と前記外開閉部材がファスナーである。
【００１５】
本考案の一実施例によれば、そのうち、前記少なくとも１つの第１メインロック部材の数量が２つであり、前記少なくとも１つの第２メインロック部材の数量が２つであり、前記複数のロックリングの数量が４つである。
【図面の簡単な説明】
【００１６】
【図１】本考案の一実施例のスーツケースの立体外観図である。
【図２】本考案の一実施例のスーツケースの本体と分離式外袋の立体分解図である。
【図３】本考案の一実施例の分離式外袋の背面の立体斜視図である。
【図４】本考案の一実施例の外蓋と遮蔽層を開いたときの分離式外袋の立体斜視図である。
【図５】本考案の一実施例の第１メインロック部材の立体透視図である。
【図６】本考案の一実施例の操作部材を摺動溝に沿って摺動させたときの第１メインロック部材の立体透視図である。
【図７】本考案の一実施例の本体と分離式外袋を結合したときのスーツケースの断面図である。
【図８】本考案の一実施例の操作部材を摺動溝に沿って摺動させたときのスーツケースの部分断面図である。
【図９】本考案の一実施例の第１メインロック部材とロックリングを分離したときのスーツケースの部分断面図である。
【考案を実施するための形態】
【００１７】
以下、本考案の技術内容についてさらに理解を深められるように、特に具体的な実施例を挙げて説明する。
【００１８】
以下では図１から図９の本考案の一実施例のスーツケースを併せて参照する。図１に本考案の一実施例のスーツケースの立体外観図を示す。図２に本考案の一実施例のスーツケースの本体と分離式外袋の立体分解図を示す。図３に本考案の一実施例の分離式外袋の背面の立体斜視図を示す。図４に本考案の一実施例の外蓋と遮蔽層を開いたときの分離式外袋の立体斜視図を示す。図５に本考案の一実施例の第１メインロック部材の立体透視図を示す。図６に本考案の一実施例の操作部材を摺動溝に沿って摺動させたときの第１メインロック部材の立体透視図を示す。図７に本考案の一実施例の本体と分離式外袋を結合したときのスーツケースの断面図を示す。図８に本考案の一実施例の操作部材を摺動溝に沿って摺動させたときのスーツケースの部分断面図を示す。図９に本考案の一実施例の第１メインロック部材とロックリングを分離したときのスーツケースの部分断面図を示す。
【００１９】
図１から図３と図５に示すように、本考案の一実施例において、スーツケース１は分離式の外部袋体を備え、使用者は個人のニーズに応じて袋体を着脱することができる。スーツケース１は本体１０と、分離式外袋２０と、２つの第１メインロック部材３０と、２つの第２メインロック部材４０と、４つのロックリング５０、５０ａを含む。
【００２０】
本考案の一実施例において、本体１０は収容槽１１を含み、収容槽１１は分離式外袋２０との結合に用いられる。収容槽１１は概ね長方形を呈するが、その形状は長方形に限らず、分離式外袋２０の形状に合わせて変化させることができる。収容槽１１は４つの凹陥槽１１１を含む。４つの凹陥槽１１１は長方形の収容槽１１の四隅にそれぞれ設置される。２つの第１メインロック部材３０と２つの第２メインロック部材４０は４つの凹陥槽１１１内にそれぞれ設置される。
【００２１】
図２から図４に示すように、本考案の一実施例において、分離式外袋２０は着脱自在に収容槽１１に配置される。分離式外袋２０は、外蓋２１と、底層２２と、遮蔽層２３と、２つの孔部２４と、内開閉部材２５と、外開閉部材２６を含む。外蓋２１は分離式外袋２０外部に向いた蓋体であり、外蓋２１は底層２２と遮蔽層２３を被覆する。底層２２は分離式外袋２０の収容槽１１に向いた長方形に類似した層体である。遮蔽層２３は一片の布であり、底層２２を被覆し、かつ底層２２と外蓋２１の間に配置される。外蓋２１と遮蔽層２３の間に、体積が比較的小さく、厚さが比較的薄い物品を使用者が入れるための収容空間を形成することができる。２つの孔部２４が底層２２に設けられる。２つの孔部２４は２つの第１メインロック部材３０をそれぞれ収容し、かつ２つの孔部２４は２つの第１メインロック部材３０をそれぞれ外部に露出させ、使用者が操作できるようにするために用いられる。内開閉部材２５は例えばファスナーであり、内開閉部材２５は遮蔽層２３に可動的に連接される。内開閉部材２５は遮蔽層２３の開閉に用いられる。内開閉部材２５のファスナーを完全に閉じて遮蔽層２３を閉じると、前記底層２２が閉じられた遮蔽層２３により遮蔽されて外部に露出されず、内開閉部材２５のファスナーが開かれて遮蔽層２３が開かれると、前記底層２２が外部に露出され、かつ２つの孔部２４内に位置する２つの第１メインロック部材３０も外部に露出される。外開閉部材２６は例えばファスナーであり、外蓋２１と底層２２に可動的に連接され、外開閉部材２６のファスナーは外蓋２１を底層２２に対して開閉させるために用いられる。しかしながら、内開閉部材２５と外開閉部材２６の種類はファスナーに限られず、例えばボタンなどその他開閉機能を備えた部材としてもよい。
【００２２】
図２、図３、図５から図７に示すように、本考案の一実施例において、２つの第１メインロック部材３０は収容槽１１上方の２つの隅の２つの凹陥槽１１１内に設置される。第１メインロック部材３０はロックリング５０と相互に係止させるために用いられ、各第１メインロック部材３０がロック部材本体３１、ロック槽３２、穿通孔３３、ロックバー３４、摺動溝３５、操作部材３６、弾力部材３７を含む。ロック槽３２はロック部材本体３１に設置され、ロック槽３２は分離式外袋２０の頂部を収容槽１１に入れたとき、ロックリング５０を収容するために用いられる。穿通孔３３はロック槽３２に連通される。ロックバー３４は穿通孔３３に穿通されてロック槽３２に配置される。摺動溝３５はロック部材本体３１に配置される。操作部材３６は摺動溝３５に穿通されて孔部２４に穿通され、且つ操作部材３６はロックバー３４に連接される。操作部材３６は使用者が押圧するために供され、操作部材３６が摺動溝３５に沿って移動し、ロックバー３４を動かして穿通孔３３内に収容させる。弾力部材３７は例えばばねであり、操作部材３６に連接される。弾力部材３７はロックバー３４を押し動かすために用いられ、ロックバー３４を穿通孔３３から伸出させてロックリング５０と相互に係止させる。しかしながら、第１メインロック部材３０の数量は２つに限らず、設計のニーズに応じて変更してもよい。
【００２３】
本考案の一実施例において、２つの第２メインロック部材４０は収容槽１１下方方の２つの隅の２つの凹陥槽１１１内に設置される。各第２メインロック部材４０はいずれも凸柱であり、ロックリング５０ａと相互に係止させるために用いられる。しかしながら、第２メインロック部材４０の数量は２つに限らず、設計のニーズに応じて変更してもよい。４つのロックリング５０、５０ａは長方形の底層２２の四隅にそれぞれ設置され、そのうち２つのロックリング５０が底層２２上方の２つの隅に配置され、２つの第１メインロック部材３０をそれぞれ係止するために用いられる。別の２つのロックリング５０ａは底層２２下方の２つの隅に配置され、２つの第２メインロック部材４０をそれぞれ係止するために用いられる。しかしながら、ロックリング５０、５０ａの数量は４つに限らず、設計のニーズに応じて変更してもよい。
【００２４】
使用者がスーツケース１の相互に結合された本体１０と分離式外袋２０を分離したいときは、図４と図８に示すように、使用者はまず外開閉部材２６のファスナーを開いて外蓋２１を開け、内開閉部材２５のファスナーを開いて遮蔽層２３を開き、底層２２上に設けられた２つの孔部２４を外部に露出させる。続いて、使用者は両手で２つの孔部２４に穿置された２つの操作部材３６を押圧し、２つの操作部材３６をプッシュ方向Ａに沿って下に移動させる。このとき、図６と図８に示すように、プッシュ方向Ａに沿って移動された２つの操作部材３６が２つのロックバー３４を動かして穿通孔３３内に収容させ、２つのロックバー３４を２つのロックリング５０とそれぞれ分離させる。これにより、２つのロックバー３４の２つのロックリング５０に対する係止が解除される。続いて、図９に示すように、使用者は分離式外袋２０を外側に向かって引張り、分離方向Ｂに沿って分離式外袋２０を持ち上げ、２つの第２メインロック部材４０を２つのロックリング５０ａから分離させる。これにより、２つの第２メインロック部材４０の２つのロックリング５０ａに対する係止が解除される。これで、スーツケース１の本体１０と分離式外袋２０を完全に分離することができる。
【００２５】
使用者がスーツケース１の分離した本体１０と分離式外袋２０を相互に結合させたいときは、図２、図３、図９に示すように、使用者はまず分離式外袋２０の底部を収容槽１１に入れて、底層２２下方に配置された２つのロックリング５０ａを２つの第２メインロック部材４０に係止させる。続いて、図２、図３、図５、図７に示すように、使用者は分離式外袋２０の上部を収容槽１１に押し入れる。このとき、底層２２上方に配置された２つのロックリング５０が２つの第１メインロック部材３０のロック槽３２にそれぞれ進入される。続いて、ロック槽３２に進入された各ロックリング５０がロックバー３４上端の傾斜部を若干押して、ロックバー３４が穿通孔３３内に若干押し戻される。各ロックリング５０がロック槽３２に完全に進入されると、弾力部材３７がロックバー３４を押し動かして、ロックバー３４が穿通孔３３から伸出され、ロックリング５０に挿入される。これにより、２つのロックリング５０が２つの第１メインロック部材３０にそれぞれ係止され、スーツケース１の分離した本体１０と分離式外袋２０がしっかりと結合される。最後に、図４に示すように、使用者は内開閉部材２５と外開閉部材２６のファスナーを選択的に閉じて、遮蔽層２３が底層２２、２つの孔部２４、２つの操作部材３６を完全に遮蔽し、かつ底層２２、２つの孔部２４、２つの操作部材３６等の構造が外部に露出されないように確約することができる。
【００２６】
本考案のスーツケース１の設計により、使用者は自身の使用上のニーズに基づき、本体１０と分離式外袋２０を簡単に分離したり、結合したりすることができる。
【００２７】
上述は単に実施例を挙げたものであり、実施例に限定されないことに注意が必要である。したがって、本考案の基本構成を逸脱しないものはすべて、本考案の主張する権利範囲に含まれ、本考案は実用新案登録請求の範囲に準じるものとする。
【符号の説明】
【００２８】
１        スーツケース
１０      本体
１１      収容槽
１１１    凹陥槽
２０      分離式外袋
２１      外蓋
２２      底層
２３      遮蔽層
２４      孔部
２５      内開閉部材
２６      外開閉部材
３０      第１メインロック部材
３１      ロック部材本体
３２      ロック槽
３３      穿通孔
３４      ロックバー
３５      摺動溝
３６      操作部材
３７      弾力部材
４０      第２メインロック部材
５０、５０ａ    ロックリング
Ａ        プッシュ方向
Ｂ        分離方向
【図１】
0003211054.tif 000003
【図２】
0003211054.tif 000004
【図３】
0003211054.tif 000005
【図４】
0003211054.tif 000006
【図５】
0003211054.tif 000007
【図６】
0003211054.tif 000008
【図７】
0003211054.tif 000009
【図８】
0003211054.tif 000010
【図９】
0003211054.tif 000011